(57)【要約】【課題】プラグコネクタのハウジングの嵌合部が損傷しにくい構成の、レセプタクルコネクタとこれに嵌合接続されるプラグコネクタを有する電気コネクタ組立体及びこの組立体の一方をなすプラグコネクタを提供する。【解決手段】プラグコネクタ２は、端子配列方向におけるプラグハウジング４０の端部４０Ａに取り付けられる補強金具を有しており、該補強金具６０は、一部材としての金属板が屈曲されて作られており、上記プラグコネクタ２の嵌合部４３がコネクタ嵌合方向である下方へ向いた姿勢にて、コネクタ挿抜方向に対して直角な板面で上記プラグハウジングの４０上記端部４０Ａにおけるコネクタ嵌合方向とは逆側に位置する上面を覆う基部６１と、上記端子配列方向およびコネクタ挿抜方向の両方に対して平行な板面で上記端部４０Ａの両側面を覆う側板部６３とを有している。【選択図】図１
2015026489.tif 000002
【特許請求の範囲】
【請求項１】
回路基板の実装面上に配される相手コネクタとしてのレセプタクルコネクタと、他の回路基板の実装面上に配され該実装面に対して直角な上下方向をコネクタ挿抜方向として該レセプタクルコネクタに嵌合接続されるプラグコネクタとを有する電気コネクタ組立体であって、
上記レセプタクルコネクタは、上記回路基板の実装面に対して平行な一方向を配列方向として複数の相手端子が樹脂製のレセプタクルハウジングに配列保持されているとともに、該レセプタクルハウジングが、上記プラグコネクタを受け入れるように上方へ向け開口する受入空間を有しており、
上記プラグコネクタは、コネクタ嵌合状態で上記レセプタクルコネクタに設けられた相手端子に接続される複数の端子が上記配列方向と同じ方向で樹脂製のプラグハウジングに配列保持されているとともに、該プラグハウジングが、上記レセプタクルコネクタに形成された受入空間内へ嵌入される嵌合部を有している電気コネクタ組立体において、
上記プラグコネクタは、上記配列方向における上記プラグハウジングの端部に取り付けられる補強金具を有しており、
該補強金具は、一部材としての金属板が屈曲されて作られており、上記プラグコネクタの嵌合部がコネクタ嵌合方向である下方へ向いた姿勢にて、コネクタ挿抜方向に対して直角な板面で上記プラグハウジングの上記端部におけるコネクタ嵌合方向とは逆側に位置する上面を覆う基部と、上記配列方向およびコネクタ挿抜方向の両方に対して平行な板面で上記端部の両側面を覆う側板部とを有していることを特徴とする電気コネクタ組立体。
【請求項２】
回路基板の実装面上に配される相手コネクタとしてのレセプタクルコネクタに、他の回路基板の実装面上に配され該実装面に対して直角な上下方向をコネクタ挿抜方向として上方から嵌合接続されるプラグコネクタであって、
コネクタ嵌合状態で上記レセプタクルコネクタに設けられた相手端子に接続される複数の端子が上記他の回路基板の実装面に対して平行な一方向を配列方向として樹脂製のプラグハウジングに配列保持されているとともに、該プラグハウジングが、上記レセプタクルコネクタに形成された受入空間に上方から嵌入される嵌合部を有しているプラグコネクタにおいて、
上記プラグコネクタは、上記配列方向における上記プラグハウジングの端部に取り付けられる補強金具を有しており、
該補強金具は、一部材としての金属板が屈曲されて作られており、上記プラグコネクタの嵌合部がコネクタ嵌合方向である下方へ向いた姿勢にて、コネクタ挿抜方向に対して直角な板面で上記プラグハウジングの上記端部におけるコネクタ嵌合方向とは逆側に位置する上面を覆う基部と、上記配列方向およびコネクタ挿抜方向の両方に対して平行な板面で上記端部の両側面を覆う側板部とを有していることを特徴とするプラグコネクタ。
【請求項３】
プラグコネクタの補強金具は、側板部および端板部の少なくとも一方に板厚方向で弾性変位可能な係止部を有し、プラグハウジングは、嵌合部の端部の側面および端面の少なくとも一方に段状の対応係止部が形成されており、上記補強金具の係止部は、上記プラグハウジングの対応係止部にコネクタ挿抜方向で係止していることとする請求項２に記載のプラグコネクタ。
【発明の詳細な説明】
【技術分野】
【０００１】
本発明は回路基板の実装面上に配されるレセプタクルコネクタと他の回路基板の実装面上に配され該レセプタクルコネクタに嵌合接続されるプラグコネクタとを有する電気コネクタ組立体及びこの組立体の一方をなすプラグコネクタに関する。
【背景技術】
【０００２】
この種の電気コネクタ組立体は、例えば特許文献１に開示されている。この特許文献１では、レセプタクルコネクタのハウジングは、回路基板上に対面する底壁から起立するとともに端子配列方向に延びる突壁部を、該底壁から起立する周壁が囲んだ形状となっている。そして、該突壁部と周壁との間で上方へ開口する四角環状の空間が、プラグコネクタの嵌合部を受け入れる受入空間として形成されている。一方、上記プラグコネクタのハウジングは、他の回路基板に対面する底壁から起立し、上記レセプタクルコネクタの受入空間に適合した形状をなす周壁で嵌合部をなしている。該プラグコネクタの周壁は、端子配列方向に延びる二つの側壁と、該端子配列方向に対して直角なコネクタ幅方向に延び上記二つの側壁の端部同士を連結する二つの端壁とを有している。また、上記嵌合部は、上記周壁に囲まれた溝状空間が形成されている。
【０００３】
コネクタ嵌合時には、レセプタクルコネクタの受入空間内にプラグコネクタの嵌合部が上方から嵌入されるとともに、プラグコネクタの嵌合部に囲まれた上記溝状空間内にレセプタクルコネクタの突壁部が下方から進入するようになっている。
【先行技術文献】
【特許文献】
【０００４】
【特許文献１】特開２００４−２４１２５３
【発明の概要】
【発明が解決しようとする課題】
【０００５】
特許文献１のコネクタ組立体にあっては、プラグコネクタの嵌合部は、コネクタ挿抜時やコネクタ嵌合状態において好ましくない外力を受けることがある。例えば、上記プラグコネクタは、レセプタクルコネクタに対して傾こうとする姿勢となる、いわゆるコジリを伴って挿抜されることがある。この結果、該プラグコネクタの嵌合部は、コネクタ幅方向に対して直角な側面が、レセプタクルコネクタの受入空間を形成する周壁の内壁面に当接することにより、上記側面が削れたり、該嵌合部に過大な応力が生じて破壊されたりする等、該嵌合部が損傷するおそれがある。また、上記嵌合部のうち、特に端子配列方向での端部は、コネクタ挿抜時に、プラグコネクタが捻じられるように、すなわち、該端子配列方向およびコネクタ幅方向の両方向の成分をもって傾斜した姿勢をなすようにコジられた場合、上記端部の側面がレセプタクルコネクタの上記周壁の内壁面と強く当接するので損傷しやすい。しかし、特許文献１では、上記プラグコネクタの嵌合部の端部は上記外力に対抗するための構成を特に有していないので、該端壁ひいてはハウジングの損傷を防止できない。
【０００６】
本発明は、このような事情に鑑みて、プラグコネクタのハウジングの嵌合部が損傷しにくい構成の、レセプタクルコネクタとこれに嵌合接続されるプラグコネクタを有する電気コネクタ組立体及びこの組立体の一方をなすプラグコネクタを提供することを課題とする。
【課題を解決するための手段】
【０００７】
＜第一発明＞
第一発明に係る電気コネクタ組立体は、回路基板の実装面上に配される相手コネクタとしてのレセプタクルコネクタと、他の回路基板の実装面上に配され該実装面に対して直角な上下方向をコネクタ挿抜方向として該レセプタクルコネクタに嵌合接続されるプラグコネクタとを有する電気コネクタ組立体であって、上記レセプタクルコネクタは、上記回路基板の実装面に対して平行な一方向を配列方向として複数の相手端子が樹脂製のレセプタクルハウジングに配列保持されているとともに、該レセプタクルハウジングが、上記プラグコネクタを受け入れるように上方へ向け開口する受入空間を有しており、上記プラグコネクタは、コネクタ嵌合状態で上記レセプタクルコネクタに設けられた相手端子に接続される複数の端子が上記配列方向と同じ方向で樹脂製のプラグハウジングに配列保持されているとともに、該プラグハウジングが、上記レセプタクルコネクタに形成された受入空間内へ嵌入される嵌合部を有している。
【０００８】
かかる電気コネクタ組立体において、第一発明では、上記プラグコネクタは、上記配列方向における上記プラグハウジングの端部に取り付けられる補強金具を有しており、該補強金具は、一部材としての金属板が屈曲されて作られており、上記プラグコネクタの嵌合部がコネクタ嵌合方向である下方へ向いた姿勢にて、コネクタ挿抜方向に対して直角な板面で上記プラグハウジングの上記端部におけるコネクタ嵌合方向とは逆側に位置する上面を覆う基部と、上記配列方向およびコネクタ挿抜方向の両方に対して平行な板面で上記端部の両側面を覆う側板部とを有していることを特徴としている。
【０００９】
＜第二発明＞
第二発明に係るプラグコネクタは、回路基板の実装面上に配される相手コネクタとしてのレセプタクルコネクタに、他の回路基板の実装面上に配され該実装面に対して直角な上下方向をコネクタ挿抜方向として上方から嵌合接続されるプラグコネクタであって、コネクタ嵌合状態で上記レセプタクルコネクタに設けられた相手端子に接続される複数の端子が上記他の回路基板の実装面に対して平行な一方向を配列方向として樹脂製のプラグハウジングに配列保持されているとともに、該プラグハウジングが、上記レセプタクルコネクタに形成された受入空間に上方から嵌入される嵌合部を有している。
【００１０】
かかるプラグコネクタにおいて、第二発明では、上記プラグコネクタは、上記配列方向における上記プラグハウジングの端部に取り付けられる補強金具を有しており、該補強金具は、一部材としての金属板が屈曲されて作られており、上記プラグコネクタの嵌合部がコネクタ嵌合方向である下方へ向いた姿勢にて、コネクタ挿抜方向に対して直角な板面で上記プラグハウジングの上記端部におけるコネクタ嵌合方向とは逆側に位置する上面を覆う基部と、上記配列方向およびコネクタ挿抜方向の両方に対して平行な板面で上記端部の両側面を覆う側板部とを有していることを特徴としている。
【００１１】
第一および第二発明では、プラグハウジングの端部に取り付けられる補強金具が該端部の両側面を覆っているので、該両側面でレセプタクルコネクタのハウジングと当接しても上記端部が損傷しにくい。
【００１２】
また、プラグハウジングの端部の下面、すなわちコネクタ嵌合方向側に位置する面は補強金具によっては覆われておらず、樹脂製のプラグハウジング自体が露呈している。したがって、レセプタクルコネクタにプラグコネクタを上方から嵌合させる際にコネクタ同士の位置が端子配列方向そしてコネクタ幅方向でずれていた場合、プラグハウジングの端部の下面が、レセプタクルハウジングの周壁の上面や突壁部の上面にコネクタ挿抜方向で当接しても、互いに当接するのは樹脂製の部分同士である。したがって、プラグハウジングの上記端部の下面が補強金具で覆われている場合と比較して、レセプタクルハウジングが損傷しにくい。
【００１３】
また、上記補強金具は、一部材としての金属板が屈曲されて作られているので、この屈曲形状によって補強金具自体の強度が大きくなっている。この結果、ハウジングの損傷を防止する効果がより大きくなる。
【００１４】
第二発明において、プラグコネクタの補強金具は、側板部および端板部の少なくとも一方に板厚方向で弾性変位可能な係止部を有し、プラグハウジングは、嵌合部の端部の側面および端面の少なくとも一方に段状の対応係止部が形成されており、上記補強金具の係止部は、上記プラグハウジングの対応係止部にコネクタ挿抜方向で係止していることしてもよい。このように補強金具の係止部とプラグハウジングの段状の対応係止部とをコネクタ挿抜方向で係止させることにより、コネクタ挿抜方向で補強金具が該プラグハウジングから外れにくくなる。
【発明の効果】
【００１５】
以上のように、本発明によれば、プラグハウジングの端部に、該端部の両側面を覆うように補強金具を取り付けることとしたので、いわゆるコジリを伴ってコネクタが挿抜された場合であっても、上記端部の損傷を防止できる。また、本発明では、上記プラグハウジングの上記端部の下面は補強金具によって覆われておらず、樹脂製のプラグハウジング自体が露呈しているので、コネクタ嵌合過程においてプラグハウジングの下面が、レセプタクルハウジングの周壁の上面や突壁部の上面にコネクタ挿抜方向で当接することがあっても、レセプタクルハウジングが損傷しにくい。また、上記補強金具は、一部材としての金属板が屈曲されて作られているので、この屈曲形状によって補強金具自体の強度が大きくなっている。この結果、ハウジングの損傷を防止する効果がより大きくなる。
【図面の簡単な説明】
【００１６】
【図１】本発明の実施形態におけるレセプタクルコネクタ及びプラグコネクタの全体を示す斜視図であり、（Ａ）は、両コネクタの受入空間を上向きにした姿勢で示しており、（Ｂ）は、両コネクタの嵌合直前の姿勢で示している。
【図２】図１のレセプタクルコネクタの斜視図であり、相手ロック金具の装着前の状態を示している。
【図３】図１のプラグコネクタの斜視図であり、ロック金具の装着前の状態を示している。
【図４】図２のレセプタクルコネクタの相手ロック金具及び図３のプラグコネクタのロック金具を示す斜視図であり、（Ａ）はコネクタ嵌合前の状態、（Ｂ）はコネクタ嵌合後のロック状態を示している。
【図５】コネクタ嵌合前における図４のレセプタクルコネクタの相手ロック金具及びプラグコネクタのロック金具を示す図であり、（Ａ）は図４（Ａ）のVA−VA断面図、（Ｂ）は図４（Ａ）のVB矢視図である。
【図６】コネクタ嵌合後のロック状態における図４のレセプタクルコネクタの相手ロック金具及びプラグコネクタのロック金具を示す図であり、（Ａ）は図４（Ｂ）のVIA−VIA断面図、（Ｂ）は図４（Ｂ）のVIB矢視図である。
【図７】端子配列方向におけるレセプタクルコネクタ及びプラグコネクタのそれぞれの端部の位置における端子配列方向に対して直角な面での断面図であり、（Ａ）はコネクタ嵌合前の状態、（Ｂ）はコネクタ嵌合状態を示している。
【発明を実施するための形態】
【００１７】
以下、添付図面にもとづき、本発明の実施形態について説明する。
【００１８】
図１は、本実施形態におけるレセプタクルコネクタ及びプラグコネクタの全体を示す斜視図であり、（Ａ）は、両コネクタの受入空間を上向きにした姿勢で示しており、（Ｂ）は、両コネクタの嵌合直前の姿勢で示している。図２は、図１のレセプタクルコネクタの斜視図であり、相手ロック金具の装着前の状態を示している。この図２では、図１（Ａ），（Ｂ）のレセプタクルコネクタを上下反転して示している。図３は、図１のプラグコネクタの斜視図であり、ロック金具の装着前の状態を示している。
【００１９】
本実施形態におけるレセプタクルコネクタ１及びプラグコネクタ２は、それぞれ異なる回路基板（図示せず）の実装面上に配される回路基板用コネクタであり、各回路基板の面に対して直角な方向（図１（Ａ），（Ｂ）での上下方向）を挿抜方向とするコネクタ組立体を構成している。
【００２０】
プラグコネクタ２の説明に先立ち、まず、相手コネクタたるレセプタクルコネクタ１について説明する。上記レセプタクルコネクタ１は、図１（Ａ），（Ｂ）に見られるように、略直方体外形をなすレセプタクルハウジング１０と、該レセプタクルハウジング１０の長手方向を配列方向として該レセプタクルハウジング１０によって二列に配列保持される複数の端子２０「以下、「相手端子２０」という」と、上記長手方向での上記レセプタクルハウジング１０の両端部で保持される二つのロック金具３０「以下、「相手ロック金具３０」という」とを有している。該相手ロック金具３０は、レセプタクルハウジング１０を補強するための補強金具としての機能をも有している。レセプタクルコネクタ１は、図１（Ａ），（Ｂ）で示される姿勢で、回路基板上に配置実装される。
【００２１】
上記レセプタクルハウジング１０は、例えば樹脂等の電気絶縁材で作られており、回路基板の実装面と平行な一方向を長手方向（端子配列方向）として延びている。該レセプタクルハウジング１０は、上記実装面に対して平行な底壁１１（図１のレセプタクルコネクタを上下反転して示す図２参照）と、該底壁１１から上方へ向けて起立するとともに端子配列方向に延びる突壁部１２と、上記底壁１１から上方へ向けて起立するとともに上記突壁部１２を囲む枠状の周壁１３とを有している。該周壁１３は、上記端子配列方向に延びる一対の側壁１４と、該端子配列方向に対して直角なコネクタ幅方向に延び上記一対の側壁１４の端部同士を連結する一対の端壁１５とを有している。上記突壁部１２と周壁１３との間で上方へ向け開口する環状空間は、プラグコネクタ２の嵌合部としての周壁４３を受け入れるための受入空間１６として形成されている。
【００２２】
突壁部１２は、該突壁部１２の両側面（コネクタ幅方向に対して直角な面）から没して上下方向に延びる溝状をなし相手端子２０の後述の弾性腕部を収容する端子収容部１７が、端子配列方向で等間隔に配列形成されている。図２に見られるように、該端子収容部１７は底壁１１をも貫通している。
【００２３】
レセプタクルハウジング１０は、端子配列方向での両端部１０Ａで相手ロック金具３０を保持している。本実施形態では、レセプタクルハウジング１０の端部１０Ａとは、上記端子配列方向での端子配列範囲外に位置する部分、すなわち、上記端子配列方向両端に位置する端子収容部１７よりも外側の部分をいうものとする。また、本実施形態では、受入空間１６のうち上記端子配列範囲外に位置する部分、換言すると、レセプタクルハウジング１０の端部１０Ａをなす端壁１５と二つの側壁１４とで囲まれた空間を「端部空間１６Ａ」という。
【００２４】
上記レセプタクルハウジング１０は、相手ロック金具３０を収容して保持する形態をなしているが、その形態の理解のために、レセプタクルハウジング１０のさらなる説明に先立ち、まず、上記相手ロック金具３０について説明する。
【００２５】
図４は、図２のレセプタクルコネクタ１の相手ロック金具３０及び図３のプラグコネクタ２のロック金具６０を示す斜視図であり、（Ａ）はコネクタ嵌合前の状態、（Ｂ）はコネクタ嵌合後のロック状態を示している。
【００２６】
相手ロック金具３０は、金属板を所定の形状に打ち抜いた後、板厚方向に屈曲加工して作られている。図４（Ａ）に見られるように、相手ロック金具３０は、上下方向に見たときに略Ｕ字形状をなし板面が上下方向に延びる基部３１とともに、該基部３１から延びる被保持部３２およびロック腕部３３をそれぞれ二つずつ有している。
【００２７】
上記基部３１は、コネクタ幅方向（図４（Ａ）にて左右方向）に延びる端壁側基部３１Ａと、該端壁側基部３１Ａの両端から端子配列方向で内方（図４（Ａ）にて左斜め下方向）へ向けて延びる側壁側基部３１Ｂとを有している。上記被保持部３２は、上記側壁側基部３１Ｂの下縁でコネクタ幅方向外方へ向けて屈曲されて延びる固定部３２Ａと、該固定部３２Ａに連続し上方へ向けて屈曲されて側壁側基部３１Ｂの上縁とほぼ同位置まで延びる圧入腕部３２Ｂとを有している。
【００２８】
上記固定部３２Ａは回路基板の対応部に半田固定される部分であり、相手端子２０の接続部２２と相俟って、レセプタクルコネクタ１を回路基板上に固定する機能を有している。上記圧入腕部３２Ｂは、上下方向に延びる両端縁から突出する圧入突部３２Ｂ−１が形成されている。該圧入突部３２Ｂ−１は、上記圧入腕部３２Ｂがレセプタクルハウジング１０の金具保持溝１４Ａに圧入されると、上記金具保持溝１４Ａの内壁面に喰い込みその固定を強固にするようになっている。
【００２９】
上記ロック腕部３３は、上記側壁側基部３１Ｂから端子配列方向内方へ向けて延出しているとともに、コネクタ幅方向内方へ向けて若干傾斜しており、その板厚方向、換言するとコネクタ幅方向に弾性撓み可能となっている。該ロック腕部３３は、上端寄り位置で板面の一部がコネクタ幅方向内方へ向けて突出したロック突部３３Ａが形成されている。該ロック突部３３Ａは、端子配列方向に延びる突条をなしており、後述するように、プラグコネクタ２のロック金具６０の被ロック凹部６３Ａと係止可能となっている。また、該ロック突部３３Ａの上面は、下方へ向かうにつれてコネクタ幅方向内方へ傾斜する傾斜面として形成されており、該傾斜面に上記ロック金具６０が上方から当接すると、上記ロック腕部３３がコネクタ幅方向外方向への成分を含む力を受けて同方向へ弾性変位するようになっている。該ロック突部３３Ａは、例えば板厚方向でのプレス加工により形成される。
【００３０】
レセプタクルハウジング１０の説明に戻る。図２に見られるように、該レセプタクルハウジング１０の端部１０Ａは、二つの側壁１４に、相手ロック金具３０の圧入腕部３２Ｂを圧入保持するための金具保持溝１４Ａが上方（図１（Ａ），（Ｂ）では下方）に開口して形成されている。また、図２に示されているように、上記端部１０Ａをなす側壁１４及び端壁１５に、相手ロック金具３０の基部３１及びロック腕部３３を収容するための収容溝部１０Ｂが形成されている。該収容溝部１０Ｂは、図２の上方（図１（Ａ），（Ｂ）にて下方）から見て略Ｕ字状をなし上方へ向けて開口している。また、該収容溝部１０Ｂは、上記端部１０Ａの側壁１４に沿った部分が端部空間１６Ａに向けて開口している。したがって、図１（Ａ），（Ｂ）に見られるように、相手ロック金具３０がレセプタクルハウジング１０に装着された状態において、相手ロック金具３０の側壁側基部３１Ｂ及びロック腕部３３が端部空間１６Ａに向けて露呈する。
【００３１】
図１に見られるように、上記レセプタクルハウジング１０の端部１０Ａの上面の内縁部、すなわち端部空間１６Ａに沿って略Ｕ字状に延びる縁部には、該端部空間１６Ａ側へ向かうにつれて下方へ傾斜する案内面１０Ｃが形成されている。コネクタ嵌合時には、後述するプラグコネクタ２の端壁４５が該案内面１０Ｃで端部空間１６Ａ内へ案内されることにより、該プラグコネクタ２の周壁４３がレセプタクルコネクタ１の受入空間１６内にもたらされるようになっている。
【００３２】
相手端子２０は、金属板製の帯状片を板厚方向に屈曲することにより作られていて、端子配列方向で等間隔に配列されている。該相手端子２０は、端子配列方向に見て全体が略横Ｓ字状をなしており、プラグコネクタ２の端子５０と接触する対応接触部２１が一端側にそして回路基板の対応回路部に半田接続される接続部２２が他端側に形成されている。対応接触部２１は、後述する基部２４に連続して突壁部１２の端子収容部１７内で上方へ向けて延びる弾性腕部（図示せず）の上端で、コネクタ幅方向外方へ向けて突出するように屈曲されて形成されている。上記弾性腕部は、自由状態で端子収容部１７内に位置しており、コネクタ幅方向、すなわち板厚方向で弾性変位可能となっている。
【００３３】
また、相手端子２０は、逆Ｕ字形状をなす被保持部２３および該被保持部２３の内側脚部（二つの脚部のうちコネクタ幅方向で内側に位置する脚部）に連続しコネクタ幅方向に延びる基部２４（図２参照）が、それぞれレセプタクルハウジング１０の側壁１４そして底壁１１に一体モールド成形により保持されている。該被保持部２３の内側脚部の上端寄り位置には、プラグコネクタ２の端子５０と係止するためのロック突部２３Ａが上記対応接触部２１側へ向けて突出して形成されている。
【００３４】
上記相手端子２０がレセプタクルハウジング１０に保持された状態では、図１（Ａ），（Ｂ）に見られるように、該相手端子２０の対応接触部２１が突壁部１２の側面から受入空間１６へ向けて突出するとともに、上記ロック突部２３Ａが側壁１４の内側面から受入空間１６へ向けて突出する。また、上記相手端子２０の接続部２２がレセプタクルハウジング１０の底面とほぼ同じ高さでコネクタ幅方向外方へ向けて該レセプタクルハウジング１０から延出している。
【００３５】
既述した相手ロック金具３０は、図２に示されるように、上記レセプタクルハウジング１０の底壁１１側（図２にて上方）から取り付けられる。具体的には、該相手ロック金具３０の基部３１及びロック腕部３３がレセプタクルハウジング１０の収容溝部１０Ｂ内に、そして圧入腕部３２Ｂがレセプタクルハウジング１０の金具保持溝１４Ａ内に収容される。この結果、上記圧入腕部３２Ｂの圧入突部３２Ｂ−１が上記金具保持溝１４Ａの内壁面に喰い込むことにより、上記相手ロック金具３０が上記レセプタクルハウジング１０に圧入保持される。
【００３６】
次に、主に図１（Ａ），（Ｂ）及び図３にもとづいてプラグコネクタ２の構成を説明する。プラグコネクタ２は、略直方体外形をなすプラグハウジング４０と、該プラグハウジング４０の長手方向を配列方向として該プラグハウジング４０によって二列に配列保持される複数の端子５０と、上記長手方向での上記プラグハウジング４０の両端部で保持される二つのロック金具６０とを有している。該ロック金具６０は、後述するように、上記プラグハウジング４０を補強するための補強金具としての機能をも有している。該プラグコネクタ２は、図１（Ａ）に示される姿勢で回路基板上に配置実装され、図１（Ｂ）に示されるように上下反転させた姿勢で相手コネクタとしてのレセプタクルコネクタ１に嵌合接続される。
【００３７】
上記プラグハウジング４０は、例えば樹脂等の電気絶縁材で作られており、回路基板の実装面と平行な一方向を長手方向（端子配列方向）として延びている。該プラグハウジング４０は、上記実装面に対して平行な底壁４１（図１（Ｂ）参照）と、図１（Ａ）及び図３に見られるように、該底壁４１から上方へ向けて起立する枠状の嵌合部としての周壁４３とを有している。該周壁４３は、上記端子配列方向に延びる一対の側壁４４と、該端子配列方向に対して直角なコネクタ幅方向に延び上記一対の側壁４４の端部同士を連結する一対の端壁４５とを有している。該周壁４３に囲まれ上方へ開口する空間は、レセプタクルコネクタ１の突壁部１２を受け入れるための受入空間４６として形成されている。本実施形態では、プラグハウジング４０について、端子配列方向での端子配列範囲外に位置する部分、すなわち、上記端子配列方向両端に位置する端子５０よりも外側の部分を「端部４０Ａ」という。
【００３８】
上記プラグハウジング４０は、ロック金具６０を保持する形態をなしているが、その形態の理解のために、プラグハウジング４０のさらなる説明に先立ち、まず、上記ロック金具６０について説明する。
【００３９】
主に図４（Ａ）にもとづいて、上記プラグハウジング４０で保持されるロック金具６０の構成を説明する。この図４（Ａ）では、ロック金具６０は、図１（Ｂ）そして図３のロック金具６０と上下方向にて同じ向きで示されており、図１（Ａ）のロック金具６０とは上下方向で反転して示されている。ロック金具６０は、金属板を所定の形状に打ち抜いた後、板厚方向に屈曲加工して作られている。
【００４０】
ロック金具６０は、図１（Ｂ）および図３でのプラグハウジング４０の端部４０Ａの上面（図１（Ａ）では下面）、すなわちコネクタ嵌合方向（図１（Ｂ）の矢印の方向）とは逆側に位置する背面の一部を覆う基部６１と、該基部６１から下方へ屈曲され上記端部４０Ａの端面（端子配列方向に対して直角な面）の一部を覆う端板部６２と、該基部６１から下方へ屈曲され上記端部４０Ａの側面（コネクタ幅方向に対して直角な面）のほぼ全域を覆う側板部としての被ロック部６３と、該被ロック部６３の下縁でコネクタ幅方向内方へ向けて屈曲されて形成された係止部６４とを有している。
【００４１】
図４（Ａ）によく見られるように、基部６１は、コネクタ幅方向で互いに離間し同方向で対称な形状をなす二つの底板部６１Ａ、６１Ｂを有している。二つの底板部６１Ａ，６１Ｂは、コネクタ幅方向で互いに対向する縁部が、端子配列方向で内方（図４（Ａ）にて左斜め下方向）へ向かうにつれて互いに離れていくような斜縁部をなしている。なお、底板部６１Ａ、６１Ｂが互いに分離していることは必須ではなく、該底板部６１Ａと底板部６１Ｂ同士とは直接連結していてもよい。
【００４２】
端板部６２は、図４（Ａ）に見られるように、端子配列方向に対して直角な板面を有し、コネクタ幅方向に延びて、同方向での両端部の上縁で基部６１の底板部６１Ａ，６１Ｂのそれぞれに連結されている。該端板部６２は、図１（Ｂ）によく見られるように、端部４０Ａの上半部（図１（Ａ）では下半部）に対応して位置し、コネクタ幅方向での端部４０Ａの中間域で同方向に延びている。
【００４３】
上記被ロック部６３は、図４（Ａ）に見られるように、コネクタ幅方向に対して直角な板面を有し、端子配列方向外側（図４（Ａ）にて左斜め上側）の縁部が切り欠かれていて、レセプタクルコネクタ１の相手ロック金具３０のロック突部３３Ａと係止するための被ロック凹部６３Ａが端子配列方向に延びて形成されている。該被ロック凹部６３Ａは、後述するように、コネクタ嵌合状態にて、レセプタクルコネクタ１の相手ロック金具３０のロック突部３３Ａを受け入れるとともに、該被ロック凹部６３Ａの下縁でロック突部３３Ａとコネクタ抜出方向（図４（Ａ），（Ｂ）にて上方）に係止する。
【００４４】
また、係止部６４は、被ロック部６３がその板厚方向での弾性変形することにより、コネクタ幅方向で弾性変位可能となっている。該係止部６４は、後述するようにロック金具６０がプラグハウジング４０の端部４０Ａに取り付けられた状態で該端部４０Ａの対応係止部４０Ｂに対してコネクタ挿抜方向で係止可能に位置している（図７（Ａ），（Ｂ）参照）。この係止部６４と対応係止部４０Ｂとの係止により、プラグハウジング４０からのロック金具６０の不用意な外れが防止される。
【００４５】
プラグハウジング４０の説明に戻る。該プラグハウジング４０の端子配列方向での両端部４０Ａは、図１（Ａ），（Ｂ）に見られるように、それぞれロック金具６０を保持している。図３によく見られるように、上記端部４０Ａは、上面（図１（Ａ）では下面）、側面（コネクタ幅方向に対して直角な面）及び端面（端子配列方向に対して直角な面）が、ロック金具６０に覆われる領域で、該ロック金具６０の板厚の分だけ没している。この没した領域は、図３によく見られるように、ロック金具６０の基部６１、端板部６２及び被ロック部６３に対応する形状をなしている。また、上記側面から没している面（「没入側面」という）は、図３での略下半部がさらに没していて、段部が形成されており、該段部がプラグハウジング４０への上記ロック金具６０の取付けのための対応係止部４０Ｂとして機能する（図７（Ａ），（Ｂ）をも参照）。また、図３に見られるように、上記没入側面の上部には、下方へ向かうにつれてコネクタ幅方向外方へ向けて傾斜する案内面４０Ｃ（図７（Ａ），（Ｂ）をも参照）が形成されている。該案内面４０Ｃは、上記端部４０Ａへのロック金具６０の取付けの際に、該ロック金具６０の係止部６４を案内するようになっている。
【００４６】
端子５０は、金属板を打ち抜いて得られた帯状片を板厚方向に屈曲して作られている。該端子５０は、プラグハウジング４０の各側壁４４に一体モールド成型されて保持されており、該側壁４４の長手方向で等間隔をなして配列されている。該端子５０は、プラグハウジング４０の底壁４１とほぼ同じ高さ位置で側壁４４からコネクタ幅方向外方へ延出する直状の接続部５１と、該接続部５１に連続して図１（Ａ）での上方（図１（Ｂ）および図３での下方）へ向けて屈曲されるとともに逆Ｕ字状に折り返され上記側壁４４に埋没保持される逆Ｕ字部分とを有している。該逆Ｕ字部分は、上記側壁４４に沿って延びていて、逆Ｕ字状の板面が該側壁４４と同一面を形成するようにして露呈している。
【００４７】
上記端子５０の逆Ｕ字状部分の二つの脚部のうち、側壁４４の内側面側に位置する一方の脚部は、レセプタクルコネクタ１の相手端子２０と接触するための接触部５２として形成されている。また、側壁４４の外側面側に位置する他方の脚部は、上記相手端子２０のロック突部２３Ａと係止するための被ロック部５３として形成されている。該被ロック部５３には、上記ロック突部２３Ａを受け入れるための被ロック凹部５３Ａが板面から没して形成されている。
【００４８】
プラグコネクタ２のプラグハウジング４０へのロック金具６０の装着について説明する。該ロック金具６０は、図３に見られるように、プラグハウジング４０の底壁４１側（図３にて上方）から、該プラグハウジング４０の端部４０Ａを覆うようにして装着される。この結果、図３での端部４０Ａの上面、両側面そして端面がロック金具６０によって覆われる。したがって、上記端部４０Ａは、ロック金具６０によって補強され、該端部４０Ａは不用意な外力を受けても変形しにくくなる。
【００４９】
ロック金具６０の装着過程では、まず、ロック金具６０の係止部６４が、それぞれ上記プラグハウジング４０の端部４０Ａの案内面４０Ｃに板面で当接して、コネクタ幅方向外方へ向けて（互いに離れる方向）弾性変位する。そして、該係止部６４が段状の対応係止部４０Ｂを乗り越えて該対応係止部４０Ｂの下方位置に到達すると、該係止部６４が弾性変位状態から復帰する。この結果、該係止部６４が上記対応係止部４０Ｂと係止して、上方へ向けたプラグハウジング４０からのロック金具６０の外れが防止される（図７（Ｂ）をも参照）。
【００５０】
本実施形態では、係止部６４および被ロック凹部６３Ａをコネクタ幅方向でのプラグハウジング４０の端部４０Ａの両側に設けたが、これに代えて、あるいはこれとともに、係止部および被ロック凹部を上記端部の端面側に対応して設けてもよい。
【００５１】
また、本実施形態では、ロック金具６０の係止部６４とプラグハウジング４０の段状の対応係止部４０Ｂとが係止するようになっているので、該プラグハウジング４０の幅方向での小型化が可能となる。具体的に説明すると、例えば、ハウジングの端部４０Ａの両側面に対して平行なスリット状の保持溝を該端壁に形成し、ロック金具の被保持部を該保持溝に圧入するような取付けの形態では、該保持溝を囲む壁部を十分な厚さで形成する必要があるので、ハウジングの幅方向および長手方向でハウジングが大型化してしまう。一方、本実施形態では、単に、ロック金具６０の係止部６４を係止させるための対応係止部４０Ｂを、プラグハウジング４０の端部４０Ａの両側面の一部を切り欠いて段状に形成すれば済むので、上記幅方向および長手方向にてプラグハウジング４０が大型化することはない。また、上記対応係止部４０Ｂは、簡単な形状であるので、形成も容易である。
【００５２】
次に、図１（Ｂ），図４，５，６，７にもとづいてコネクタ同士の嵌合動作について説明する。図５は、コネクタ嵌合前における図４のレセプタクルコネクタ１の相手ロック金具３０及びプラグコネクタ２のロック金具６０を示す図であり、（Ａ）は図４（Ａ）のVA−VA断面図、（Ｂ）は図４（Ａ）のVB矢視図である。図６は、コネクタ嵌合後のロック状態における図４のレセプタクルコネクタ１の相手ロック金具３０及びプラグコネクタ２のロック金具６０のみを示す図であり、（Ａ）は図４（Ｂ）のVIA−VIA断面図、（Ｂ）は図４（Ｂ）のVIB矢視図である。図７は、端子配列方向におけるレセプタクルコネクタ１及びプラグコネクタ２のそれぞれの端部１０Ａ，４０Ａの位置での該端子配列方向に対して直角な面での断面図であり、（Ａ）はコネクタ嵌合前の状態、（Ｂ）はコネクタ嵌合状態を示している。
【００５３】
まず、レセプタクルコネクタ１及びプラグコネクタ２をそれぞれ対応する回路基板に半田接続により取り付ける。次に、図１（Ｂ）に見られるように、レセプタクルコネクタ１を受入空間１６が上方へ向いた姿勢とするとともに、該レセプタクルコネクタ１の上方で、プラグコネクタ２の受入空間４６が下方へ向いた姿勢とする。このとき、ロック金具同士は、図４（Ａ），図５（Ａ），（Ｂ）および図７（Ａ）に見られるように、ロック金具６０の被ロック凹部６３Ａが、相手ロック金具３０のロック突部３３Ａに対応して上方に位置している。
【００５４】
次に、図１（Ｂ）の姿勢を維持したままプラグコネクタ２を下方へ移動させて、レセプタクルコネクタ１の突壁部１２をプラグコネクタ２の受入空間４６内へ下方から進入させるとともに、プラグコネクタ２の周壁４３をレセプタクルコネクタ１の受入空間１６内へ上方から進入させる。この結果、レセプタクルコネクタ１の相手端子２０の対応接触部２１がプラグコネクタ２の端子５０の接触部５２と接圧をもって接触し、また、相手端子２０のロック突部２３Ａが、端子５０の被ロック凹部５３Ａ内に進入して、端子同士の電気的な接触及びコネクタ抜出方向（上方）へのロックがなされる。
【００５５】
また、コネクタ嵌合過程において、ロック金具６０の被ロック部６３は、相手ロック金具３０のロック腕部３３をコネクタ幅方向外方へ向けて弾性変位させながら、上記被ロック部６３の板面で上記ロック腕部３３のロック突部３３Ａと摺接する。そして、図４（Ｂ）、図６（Ａ）および図７（Ｂ）に示されるように、上記被ロック部６３の被ロック凹部６３Ａが、上記ロック突部３３Ａの位置にまで達して、ロック金具同士が正規のロック位置にもたらされると、上記ロック腕部３３が自由状態に戻り、上記ロック突部３３Ａが上記被ロック凹部６３Ａ内に突入する。この結果、上記ロック突部３３Ａと上記被ロック凹部６３Ａとが係止し合う。
【００５６】
このように、ロック金具同士が正規のロック位置にもたらされることによりコネクタ同士の嵌合動作が完了する。この結果、上記ロック突部３３Ａと上記被ロック凹部６３Ａとの係止により、コネクタ同士の不用意な抜けが防止される。
【００５７】
本実施形態では、プラグコネクタ２の端部４０Ａにロック金具６０が取り付けられており、該ロック金具６０が上記端部４０Ａの両側面および端面を覆っている。したがって、いわゆるコジリを伴ってコネクタが挿抜された際、該端部４０Ａが上記両側面や端面でレセプタクルハウジング１０の周壁１３の内壁面と当接しても該端部４０Ａが損傷しにくい。特に、端部４０Ａの両側面は、プラグコネクタが捻じられるように、すなわち、該端子配列方向およびコネクタ幅方向の両方向の成分をもって傾斜した姿勢をなすようにコジられた場合に、レセプタクルコネクタ１の周壁１３の内壁面と強く当接する傾向にあるが、本実施形態では、上記両側面のほぼ全域がロック金具６０の被ロック部６３で覆われているので、端部４０Ａの損傷を良好に防止できる。また、上記ロック金具６０は、一部材としての金属板が屈曲されて作られているので、この屈曲形状によって補強金具自体の強度が大きくなっている。この結果、プラグコネクタ２のプラグハウジング４０の損傷を防止する効果がより大きくなる。
【００５８】
また、本実施形態では、端部４０Ａの上記端面は、その一部の領域のみがロック金具６０の端板部６２によって覆われていることとしたが、これに代えて、上記端面のさらに広い領域を端板部によって覆うような構成とすれば、その分、端部４０Ａの損傷を防止する効果が向上する。
【００５９】
既述したように、本実施形態では、プラグハウジング４０の端部４０Ａは、図１（Ｂ）に見られるように、上記端部４０Ａの上面、端面および両側面がロック金具６０によって覆われているが、該端部４０Ａの下面（図１（Ａ）での上面）、すなわちコネクタ嵌合方向での先方側に位置する面は該ロック金具６０によって覆われておらず、端部４０Ａ自体が露呈している。したがって、コネクタ嵌合過程にてコネクタ同士の位置が端子配列方向そしてコネクタ幅方向でずれていた場合、プラグハウジング４０の端部４０Ａの下面が、レセプタクルハウジング１０の周壁１３の上面や突壁部１２の上面にコネクタ挿抜方向で当接しても、互いに当接するのは樹脂製の部分同士である。したがって、プラグハウジング４０の端部４０Ａの下面が補強金具で覆われている場合と比較して、レセプタクルハウジング１０が損傷しにくい。
【００６０】
本実施形態では、レセプタクルコネクタ１の相手ロック金具３０のロック腕部３３は、ロック金具同士が正規のロック位置に至るまでの間、ロック金具６０の被ロック部６３と互いに板面で摺接する。したがって、ロック金具の板厚方向切断面あるいは縁部で摺接する場合と比較して応力集中が生じにくい。この結果、相手ロック金具３０及びロック金具６０のそれぞれの板面に傷がつきにくくなるので、摩耗による係合しろの減少が生じず、ロック係合力の低下を回避できる。
【００６１】
本実施形態では、相手ロック金具３０のロック腕部３３が端子配列方向に延出しているので、上下方向（コネクタ挿抜方向）に延出させる場合と比較して、該ロック腕部３３を長くすることができる。したがって、ロック金具６０の被ロック部６３の板面との摺接による弾性変位量が大きくなるので、その分、正規のロック位置に至るまでの間におけるロック金具の板面同士の当接圧を低くできるとともに、コネクタ嵌合完了後におけるロック金具同士の係止量を大きくできる。この結果、相手ロック金具３０及びロック金具６０のそれぞれの板面に傷がつきにくくなるとともに、ロック金具同士の係止を確実なものとできる。
【００６２】
本実施形態では、相手ロック金具のロック腕部は側壁側基部から端子配列方向に延出することとしたが、ロック腕部の延出方向はこれに限られず、コネクタの高さ寸法が十分に大きい場合には、例えば、側壁側基部からコネクタ挿抜方向（上下方向）に延出させてもよい。
【００６３】
本実施形態では、レセプタクルコネクタの相手ロック金具に突状のロック部が形成を設けるともに、プラグコネクタのロック金具に凹状の被ロック部を設けることとしたが、これに代えて、上記相手ロック金具に凹状の被ロック部を設けるとともに、上記ロック金具に突状のロック部を設けることとしてもよい。また、本実施形態では、相手ロック金具に弾性変位可能なロック腕部を設けることとしたが、これに代えて、ロック金具にロック腕部を設けることとしてもよい。
【００６４】
本実施形態では、プラグコネクタの補強金具はレセプタクルコネクタとのロック機能を有するロック金具であることとしたが、コネクタ同士の不用意な抜けが十分に図られている場合には、上記ロック機能は必須ではない。この場合には、例えば、補強金具は、本実施形態のロック金具の被ロック部６３の被ロック凹部６３Ａを省略したような形状の側板部でプラグハウジングの端部の両側面を覆う形態とすることができる。
【符号の説明】
【００６５】
１  レセプタクルコネクタ                  ４０Ｂ  対応係止部
２  プラグコネクタ                        ４３  周壁（嵌合部）
１０  レセプタクルハウジング              ５０  端子
１６  受入空間                            ６０  ロック金具（補強金具）
２０  相手端子                            ６１  基部
３０  相手ロック金具                      ６３  被ロック部（側板部）
４０  プラグハウジング                    ６４  係止部
４０Ａ  端部                              
【図１】
2015026489.tif 000003
【図２】
2015026489.tif 000004
【図３】
2015026489.tif 000005
【図４】
2015026489.tif 000006
【図５】
2015026489.tif 000007
【図６】
2015026489.tif 000008
【図７】
2015026489.tif 000009